(57)【要約】  近距離無線通信（ＮＦＣ）システムにおける端末間の接続優先順位に従うデータ送受信方法が提供される。上記方法は、送信するデータが存在する場合に、第１の端末と第２の端末との間の直接通信のために設定された第１の接続の接続優先順位を決定するために使用された比例フェア（ＰＦ）値を決定するステップと、ＰＦ値を第２の端末に送信することにより第１の接続を通したデータ送信を要請するステップと、第１の接続を通したデータ送信を許容するための情報が第２の端末から受信される場合に、データを第２の端末に送信するステップとを含む。
2014527368.tif 000002
【特許請求の範囲】
【請求項１】
近距離無線通信（ＮＦＣ）システムにおける端末間の接続優先順位に従うデータ送受信方法であって、
送信するデータが存在する場合に、第１の端末と第２の端末との間の直接通信のために設定された第１の接続の接続優先順位を決定するために使用された比例フェア（ＰＦ）値を決定するステップと、
前記ＰＦ値を前記第２の端末に送信することにより前記第１の接続を通したデータ送信を要請するステップと、
前記第１の接続を通したデータ送信を許容するための情報が前記第２の端末から受信される場合に、前記データを前記第２の端末に送信するステップと
を有することを特徴とするデータ送受信方法。
【請求項２】
前記ＰＦ値は、データサービス品質（ＱｏＳ）レベル、データレイテンシ、データバッファサイズ、チャネル状態情報、及びサービスされたデータレートの中の少なくとも１つに基づいて決定されることを特徴とする請求項１に記載のデータ送受信方法。
【請求項３】
前記ＰＦ値は、前記データＱｏＳレベル、前記データレイテンシ、前記データバッファサイズ、及び前記チャネル状態情報に比例し、前記サービスされたデータレートに反比例するように決定されることを特徴とする請求項２に記載のデータ送受信方法。
【請求項４】
前記ＰＦ値は、前記第１の端末が現在のチャネルのチャネル状態情報を有する場合に計算される値であり、
前記チャネル状態情報は、干渉電力対受信電力レベルの比に従ってアップデートされ、
前記干渉電力は、前記第１の接続との干渉として機能し、前記受信電力レベルは、前記第１の接続を通して受信された信号の受信電力に基づいて計算されることを特徴とする請求項１に記載のデータ送受信方法。
【請求項５】
前記干渉電力及び前記受信電力レベルに関する情報は、前記第１の接続を通したデータ送信を許容する情報とともに前記第２の端末から受信されることを特徴とする請求項４に記載のデータ送受信方法。
【請求項６】
前記干渉電力及び前記受信電力レベルに関する情報は、次のトラフィックスロットのＰＦ値の計算のために使用されることを特徴とする請求項４に記載のデータ送受信方法。
【請求項７】
近距離無線通信（ＮＦＣ）システムにおける端末間の接続優先順位に従うデータ送受信方法であって、
第１の端末と第２の端末との間の直接通信のために設定された第１の接続に対する第１の比例フェア（ＰＦ）値と、前記第１の端末と前記第２の端末との間に存在する少なくとも１つの第２の接続に対する第２のＰＦ値とを受信するステップと、
前記第１のＰＦ値を前記第２のＰＦ値と比較するステップと、
前記第１のＰＦ値がもっとも高い値に対応する場合に、前記第１の接続を通した通信を許容する情報を前記第２の端末に送信するステップと、
前記第１の接続を通して前記第２の端末からデータを受信するステップと
を有することを特徴とするデータ送受信方法。
【請求項８】
前記第１のＰＦ値が前記もっとも高い値に対応しない場合に、前記第２の接続の干渉にもかかわらず前記第１の接続の通信が可能であるか否かを判定するステップと、
前記第２の接続の干渉にもかかわらず、前記第１の接続の通信が可能である場合に、前記第１の接続を通した通信を許容する情報を前記第２の端末に送信するステップとをさらに有することを特徴とする請求項７に記載のデータ送受信方法。
【請求項９】
前記第１の接続の通信が前記第２の接続の干渉により不可能である場合に、前記第１の接続を通した通信を拒絶する情報を前記第２の端末に送信するステップをさらに有することを特徴とする請求項８に記載のデータ送受信方法。
【請求項１０】
前記第１の接続を通した通信を許容する情報は、前記第１の接続に干渉として機能する干渉電力と前記第１の接続を通して受信された信号に対する受信電力に基づいて計算される受信電力レベルとともに前記第２の端末に送信されることを特徴とする請求項７に記載のデータ送受信方法。
【請求項１１】
前記第１の接続を通した通信を許容する情報は、前記第１の接続を通して受信された信号に対する受信電力に基づいて計算される受信電力レベルとともに前記第２の端末に送信されることを特徴とする請求項８に記載のデータ送受信方法。
【請求項１２】
前記第１の接続を通した通信を拒絶する情報は、前記第１の接続に干渉として機能する干渉電力と前記第１の接続を通して受信された信号に対する受信電力に基づいて計算される受信電力レベルとともに前記第２の端末に送信されることを特徴とする請求項９に記載のデータ送受信方法。
【請求項１３】
請求項１乃至請求項６のいずれか１項に記載された方法のステップを実行するために適用される制御部、受信部、及び送信部を有することを特徴とする近距離無線通信（ＮＦＣ）システム。
【請求項１４】
請求項７乃至請求項１２のいずれか１項に記載された方法のステップを実行するために適用される受信部、制御部、及び送信部を有することを特徴とする近距離無線通信（ＮＦＣ）システム。
【発明の詳細な説明】
【技術分野】
【０００１】
本発明は、通信システムに関し、特に、装置間の直接通信を実行する近距離無線通信システムにおける端末間の接続優先順位（ｃｏｎｎｅｃｔｉｏｎ  ｐｒｉｏｒｉｔｙ）に従うデータ送受信装置及び方法に関する。
【背景技術】
【０００２】
近距離無線通信（Ｎｅａｒ  Ｆｉｅｌｄ  Ｃｏｍｍｕｎｉｃａｔｉｏｎ：以下、‘ＮＦＣ’と称する）は、非常に近い距離の無線通信のための技術である。ＮＦＣは、中継器なしに装置間の直接通信を実行するデバイス・ツーデバイス（Ｄｅｖｉｃｅ−ｔｏ−Ｄｅｖｉｃｅ）通信又はアドホック（Ａｄ−ｈｏｃ）通信を含む。
【０００３】
端末間の直接通信を試みることができる端末に対する複数の接続を有するＮＦＣネットワークにおいて、この複数の接続は、データ送信を同時に試みる場合があり得る。この場合に、任意の接続が隣接した接続と同一の周波数帯域を使用する場合に、この接続の通信は、隣接した接続の通信と衝突（ｃｏｌｌｉｓｉｏｎ）する。したがって、上記のような衝突が発生しないように複数の接続の各々に対して接続優先順位を決定し、優先順位が高い端末がその接続優先順位に従って最初に通信を実行するようにする方案が要求される。
【発明の概要】
【発明が解決しようとする課題】
【０００４】
本発明の目的は、少なくとも上述した問題点及び／又は不都合に取り組み、少なくとも以下の利便性を提供することにある。すなわち、本発明の目的は、近距離無線通信（ＮＦＣ）システムにおける端末間の直接通信を試みることができる端末に対する接続が複数存在する場合に、複数の接続のそれぞれに対する接続優先順位に従ってデータを送受信する装置及び方法を提供することにある。
【０００５】
本発明の他の目的は、ＮＦＣシステムにおいて、送信端末が比例フェア（Ｐｒｏｐｏｒｔｉｏｎａｌ  Ｆａｉｒ、ＰＦ）値を受信端末に提供し、受信端末がＰＦ値と関連した接続優先順位に従ってデータを送受信する装置及び方法を提供することにある。
【０００６】
本発明のまた他の目的は、ＮＦＣシステムにおいて、受信端末が接続優先順位に従って決定されたＡＣＫ／ＮＡＫ情報及び関連する接続に関する電力情報を送信端末に提供することによりデータを送受信する装置及び方法を提供することにある。
【課題を解決するための手段】
【０００７】
上記のような目的を達成するために、本発明の一態様によれば、ＮＦＣシステムにおける端末間の接続優先順位に従うデータ送受信方法が提供される。上記方法は、送信するデータが存在する場合に、第１の端末と第２の端末との間の直接通信のために設定された第１の接続の接続優先順位を決定するために使用された比例フェア（ＰＦ）値を決定するステップと、上記ＰＦ値を上記第２の端末に送信することにより上記第１の接続を通したデータ送信を要請するステップと、上記第１の接続を通したデータ送信を許容するための情報が上記第２の端末から受信される場合に、上記データを上記第２の端末に送信するステップとを有することを特徴とする。
【０００８】
本発明の他の態様によれば、ＮＦＣシステムにおける端末間の接続優先順位に従うデータ送受信方法が提供される。上記方法は、第１の端末と第２の端末との間の直接通信のために設定された第１の接続に対する第１の比例フェア（ＰＦ）値と、上記第１の端末と上記第２の端末との間に存在する少なくとも１つの第２の接続に対する第２のＰＦ値とを受信するステップと、上記第１のＰＦ値を上記第２のＰＦ値と比較するステップと、上記第１のＰＦ値がもっとも高い値に対応する場合に、上記第１の接続を通した通信を許容する情報を上記第２の端末に送信するステップと、上記第１の接続を通して上記第２の端末からデータを受信するステップとを有することを特徴とする。
【０００９】
本発明のさらに他の態様によれば、ＮＦＣシステムにおける端末間の接続優先順位に従うデータ送受信装置が提供される。上記装置は、送信するデータが存在する場合に、第１の端末と第２の端末との間の直接通信のために設定された第１の接続の接続優先順位を決定するために使用された比例フェア（ＰＦ）値を決定する制御部と、上記第１の接続に対する通信を許容するための情報を上記第２の端末から受信する受信部と、上記決定されたＰＦ値を上記第２の端末に送信することにより上記第１の接続を通したデータ送信を要請し、上記受信部が上記第１の接続に対する通信を許容するための情報を上記第２の端末から受信する場合に、上記データを上記第２の端末に送信する送信部とを含むことを特徴とする。
【００１０】
本発明のさらなる他の態様によれば、ＮＦＣシステムにおける端末間の接続優先順位に従うデータ送受信装置が提供される。上記装置は、第１の端末と第２の端末との間の直接通信のために設定された第１の接続に対する第１の比例フェア（ＰＦ）値と、前記第１の端末と前記第２の端末との間に存在する少なくとも１つの第２の接続に対する第２のＰＦ値とを受信し、上記第１の接続を通した通信を許容するための情報が上記第２の端末に送信される場合に、上記データを上記第２の端末から受信する受信部と、上記第１のＰＦ値を上記第２のＰＦ値と比較し、上記第１のＰＦ値がもっとも高い値に対応する場合に、上記第１の接続に対する通信を許容する情報を選択する制御部と、上記第１の接続に対する通信を許容するための情報を上記第２の端末に受信する送信部とを含むことを特徴とする。
【００１１】
本発明の他の目的、利点、及び顕著な特徴は、添付の図面及び本発明の実施形態からなされた以下の詳細な説明から、この分野の当業者に明確になるはずである。
【発明の効果】
【００１２】
ＮＦＣシステムにおいて、端末間の直接通信を試みることができる端末に対する接続が複数存在する場合に、本発明の実施形態により提案された方式は、複数の接続のそれぞれに対する接続優先順位に従ってデータを送受信することにより周波数効率を向上させ、その結果、全システム処理量（ｔｈｒｏｕｇｈｐｕｔ）を増加させ、各接続の処理量に対して公平性を向上させることができるという効果がある。
【００１３】
本発明の実施形態の上述した及び他の様相、特徴、及び利点は、以下の添付図面が併用された後述の詳細な説明から、より一層明らかになるだろう。
【図面の簡単な説明】
【００１４】
【図１】本発明の実施形態によるフラッシュリンク方式に基づくフレーム及びリソースブロックの構造を示す図である。
【図２】本発明の実施形態によるＮＦＣシステムにおける端末間の直接通信のために設定された接続の一例を示す図である。
【図３】本発明の一実施形態によるフレーム及びリソースブロックの構造を示す図である。
【図４】本発明の一実施形態による送信端末がトラフィック送信要請リソース領域３１０を用いてデータの送信を受信端末に要請する動作を示す図である。
【図５】本発明の一実施形態による受信端末が電力及び応答リソース領域を用いてデータ送信要請に対する応答を送信端末に送信する動作を示す図である。
【図６】本発明の一実施形態による受信端末がＡＣＫ／ＮＡＫメッセージを送信する動作を示す図である。
【図７】本発明の一実施形態による送信端末がデータを送信する動作を示すフローチャートである。
【図８】本発明の一実施形態による受信端末がデータを受信する動作を示すフローチャートである。
【図９】本発明の一実施形態による送信端末の構造を示す図である。
【図１０】本発明の一実施形態による受信端末の構造を示す図である。
【発明を実施するための形態】
【００１５】
図面中、同一の図面参照符号は、同一の構成要素、特性、及び構造を意味することが分かるはずである。
【００１６】
添付の図面を参照した下記の説明は、特許請求の範囲の記載及びこれと均等なものの範囲内で定められるような本発明の実施形態の包括的な理解を助けるために提供するものであり、この理解を助けるために様々な特定の詳細を含むが、唯１つの実施形態に過ぎない。従って、本発明の範囲及び趣旨を逸脱することなく、ここに説明する実施形態の様々な変更及び修正が可能であるということは、当該技術分野における通常の知識を有する者には明らかである。また、明瞭性と簡潔性の観点から、当業者に良く知られている機能や構成に関する具体的な説明は、省略する。
【００１７】
次の説明及び請求項に使用する用語及び単語は、辞典的意味に限定されるものではなく、発明者により本発明の理解を明確且つ一貫性があるようにするために使用する。従って、特許請求の範囲とこれと均等なものに基づいて定義されるものであり、本発明の実施形態の説明が単に実例を提供するためのものであって、本発明の目的を限定するものでないことは、本発明の技術分野における通常の知識を持つ者には明らかである。
【００１８】
英文明細書に記載の“ａ”、“ａｎ”、及び“ｔｈｅ”、すなわち単数形は、コンテキスト中に特記で明示されない限り、複数形を含むことは、当業者には理解されることである。したがって、例えば、“コンポーネント表面（ａ  ｃｏｍｐｏｎｅｎｔ  ｓｕｒｆａｃｅ）”との記載は、１つ又は複数の表面を含む。
【００１９】
本明細書において、説明の便宜のために、端末間の直接通信の間に、受信側として動作する端末を‘受信端末’と称し、送信側として動作する端末を‘送信端末’と称する。
【００２０】
近距離無線通信（Ｎｅａｒ  Ｆｉｅｌｄ  Ｃｏｍｍｕｎｉｃａｔｉｏｎ：以下、‘ＮＦＣ’と称する）ネットワークが端末間の直接通信を試みることができる端末に対する複数の接続を含み、この複数の接続が同時にデータ送信を試みる場合に、任意の接続及びその隣接した接続が同一の周波数帯域を使用する時に、接続の通信は、その隣接した接続の通信と衝突する。したがって、上記のような衝突が発生しないように複数の接続のそれぞれに対する優先順位に従って優先順位が高い端末が最初に通信を実行するようにする方案が研究されてきた。
【００２１】
フラッシュリンク（ｆｌａｓｈｌｉｎＱ）は、これらの方案の中の１つである。フラッシュリンク方式において、すべての端末は、外部の同期信号を個別的に受信し、この受信された同期信号に基づいてトラフィックスロット（ｔｒａｆｆｉｃ  ｓｌｏｔ）別にランダムに接続優先順位を割り当てる。
【００２２】
図１は、本発明の実施形態によるフラッシュリンク方式に基づくフレーム及びリソースブロックの構造を示す図である。
【００２３】
図１を参照すると、フレーム１００は、時間同期の取得のためのディスカバリー（ｄｉｓｃｏｖｅｒｙ）領域１０２と、複数の接続の各々に対する論理チャネル識別子（ＩＤ）の取得のためのページング領域１０４と、論理チャネルでのスケジューリングのためのトラフィックスロット領域１０６とを含む。トラフィックスロット領域１０６は、第１の領域１０８乃至第３の領域１１２を含む。
【００２４】
リソースブロック１５０は、第１の領域１０８、第２の領域１１０、及び第３の領域１１２の各々に含まれる接続スケジューリング領域のリソースブロックを示す。リソースブロックの縦軸は、トーンを示し、リソースブロックの横軸は、直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＯＦＤＭ）シンボルを示す。すなわち、リソースブロックは、ＯＦＤＭシンボル別にトーンがマッピングされたサブブロックを含む。ここで配置されたＯＦＤＭシンボルの順序に、高いトーンがマッピングされたサブブロックは、高い優先順位を有する接続識別子（Ｃｏｎｎｅｃｔｉｏｎ  ＩＤｅｎｔｉｆｉｅｒ、以下‘ＣＩＤ’と称する）が割り当てられ、低いトーンがマッピングされたサブブロックは、低い優先順位を有するＣＩＤが割り当てられる。
【００２５】
フラッシュリンク方式では、端末間の直接通信を実行する間に、送信端末は、ハッシング関数（ｈａｓｈｉｎｇ  ｆｕｎｃｔｉｏｎ）を用いて各接続に対する優先順位をランダムに決定する。図１において、第１の領域１０８、第２の領域１１０、及び第３の領域１１２の各々に対して示すリソースブロックは、ＣＩＤ２及びＣＩＤ５が関連する領域にランダムに割り当てられることを示す。したがって、フラッシュリンク方式は、高い優先順位を有するＣＩＤを均等に分配することにより各接続の公平性を保証し、全周波数効率（ｓｐｅｃｔｒａｌ  ｅｆｆｉｃｉｅｎｃｙ）を増加させることができる。
【００２６】
しかしながら、フラッシュリンク方式は、ランダムに決定された優先順位に従って通信が許容された接続のチャネル状態が悪い場合に、システム全体の処理量を低下させることができる。また、任意の接続を有する端末が遠くに離れて位置する場合に、端末間に位置した多くの隣接した接続が任意の接続に干渉として機能するために、通信が不可能となるという問題点がある。以下では、図２を参照してフラッシュリンク方式の公知の問題点について説明する。
【００２７】
図２は、本発明の実施形態によるＮＦＣシステムにおける端末間の直接通信のために設定された接続の一例を示す図である。
【００２８】
図２を参照すると、ＮＦＣシステムは、端末Ａ乃至端末Ｆを有し、端末間の直接通信のための接続は、端末Ａと端末Ｄ、端末Ｂと端末Ｅ、端末Ｆと端末Ｃとの間で設定される。図２において、端末Ｂと端末Ｅとの間で設定された接続は、高い優先順位を有するが、悪いチャネル状態を有し、端末Ａと端末Ｄとの間で設定された接続は、低い優先順位を有するが、良子なチャネル状態を有し、端末Ｆと端末Ｃとの間で設定された接続は、低い優先順位を有するが、非常に良好なチャネル状態を有する。
【００２９】
フラッシュリンク方式において、端末Ａと端末Ｄ、端末Ｂと端末Ｅ、端末Ｆと端末Ｃとの間で設定された接続が同時にデータ送信を試みる場合に、この接続の中で優先順位がもっとも高い端末Ｂと端末Ｅとの間の接続に対する通信が最初に許容される。しかしながら、端末Ｂと端末Ｅとの間で設定された接続は、基本的にチャネル状態が悪く、端末Ａと端末Ｄ、端末Ｆと端末Ｃとの間で設定された接続が端末Ｂと端末Ｅとの間の接続に干渉として機能するので、全システムの処理量が減少する。
【００３０】
図示していないが、フラッシュリンク方式は、１つのサービス品質（Ｑｕａｌｉｔｙ  ｏｆ  Ｓｅｒｖｉｃｅ；以下、‘ＱｏＳ’と称する）に対してＱｏＳレベルの個数に対応する複数のＣＩＤが要求されるのでリソースの浪費をもたらす。したがって、本発明の実施形態は、ＮＦＣネットワークにおいて、複数の接続が同時にデータ送信を試みる時に、各接続の優先順位がサービスされたデータレート、現在のチャネル状態、データＱｏＳレベル、データレイテンシ、及びデータバッファサイズの中の少なくとも１つのパラメータによる比例フェア（Ｐｒｏｐｏｒｔｉｏｎａｌ  Ｆａｉｒ；以下、‘ＰＦ’と称する）スケジューリングを実行できるようにすることにより、全システムの処理量の増加及び公平性の向上に寄与する方案を提案する。
【００３１】
図３は、本発明の一実施形態によるフレーム及びリソースブロックの構造を示す図である。
【００３２】
図３を参照すると、フレーム３００は、ディスカバリー領域３０２と、ページング領域３０４と、第１のトラフィックスロット領域３０６と、第２のトラフィックスロット領域３０８とを含む。第２のトラフィックスロット領域３０８は、トラフィック送信要請リソース領域３１０、電力及び応答リソース領域３１２、トラフィック送信解除リソース領域３１４、パイロットリソース領域３１６、チャネルフィードバック領域３１８、トラフィックリソース領域３２０、及びトラフィック肯定応答（ＡＣＫｎｏｗｌｅｄｍｅｎｔ；以下、‘ＡＣＫ’と称する）リソース領域３２２の中の少なくとも１つを含む。
【００３３】
リソースブロック３３０は、トラフィック送信要請リソース領域３１０と電力及び応答リソース領域３１２に対するリソースブロックを示す。送信端末が受信端末からデータ送信を要請するために使用されるリソースは、トラフィック送信要請リソース領域３１０に割り当てられる。受信端末がデータ送信要請に対する応答を送信端末に送信するために使用されるリソースは、電力及び応答リソース領域３１２に割り当てられる。
【００３４】
トラフィック送信要請リソース領域３１０及び電力及び応答リソース領域３１２の各々に対するリソースブロックについて、ＣＩＤ１乃至ＣＩＤ６及びＣＩＤ１６は、固定された位置のサブブロックに割り当てられ、それぞれのＣＩＤは、優先順位を有しない。
【００３５】
図４は、本発明の実施形態による送信端末がトラフィック送信要請リソース領域３１０を用いて受信端末にデータ送信を要請する動作を示す図である。
【００３６】
図４を参照すると、送信端末と受信端末との間で設定された接続がＣＩＤ２を有する場合に、送信端末は、送信するデータを有する時にＣＩＤ２に対するＰＦ値を計算する。その後に、送信端末は、ＣＩＤ２が割り当てられたサブブロックの位置にマッピングされるトーン４００を用いて計算されたＰＦ値を受信端末に送信することによりデータ送信を要請する。
【００３７】
ここで、ＰＦ値は、端末間の接続優先順位を示し、下記の数式（１）のように決定される。
【００３８】
ＰＦ値＝ｆ（ｘ／ｙ）・・・数式（１）
【００３９】
ここで、‘ｘ’は、データＱｏＳレベル、データレイテンシ、データバッファサイズ、及びチャネル状態の中の少なくとも１つに基づいて決定される値であり、‘ｙ’は、サービスされたデータレートである。
【００４０】
ＰＦ値は、パラメータ‘ｘ’の値に比例し、パラメータ‘ｙ’の値に反比例する。例えば、ＰＦ値が高いほど高い優先順位を示す。例えば、ＰＦ値は、データＱｏＳレベル、データレイテンシ、データバッファサイズ、及びチャネル状態の中のいずれか１つに基づいて決定されることができる。
【００４１】
図５は、本発明の一実施形態による受信端末が電力及び応答リソース領域を用いてデータ送信要請に対する応答を送信端末に送信する動作を示す図である。
【００４２】
図５を参照すると、ＣＩＤ２に対するＰＦ値を送信端末から受信した受信端末は、ＣＩＤ２に対するＰＦ値を残りのＣＩＤ（すなわち、ＣＩＤ１、ＣＩＤ３、ＣＩＤ４、ＣＩＤ５、ＣＩＤ６、及びＣＩＤ１６）中の関連する少なくとも１つのＣＩＤに対するＰＦ値と比較する。この比較の結果、ＣＩＤ２に対するＰＦ値がもっとも高い値である場合に、受信端末は、ＣＩＤ２に対する通信を許容するＡＣＫメッセージを送信端末に送信する。
【００４３】
また、ＣＩＤ２に対するＰＦ値がもっとも高い値に対応しないとしても、残りのＣＩＤの中で関連する少なくとも１つのＣＩＤの干渉に対して通信が可能であると判定される場合に、受信端末は、空間再使用係数（ｓｐａｔｉａｌ  ｒｅｕｓｅ  ｆａｃｔｏｒ）αに基づいて、ＣＩＤ２に対する通信を許容するＡＣＫメッセージを送信端末に送信することができる。受信端末は、少なくとも１つのＣＩＤの干渉にもかかわらず通信が可能であるか否かを判定することができる。ここで、αは、信号電力（Ｓｉｇｎａｌ  ＰｏＷｅｒ；ＳＰＷ）対干渉電力（Ｉｎｔｅｒｆｅｒｅｎｃｅ  ＰｏＷｅｒ；ＩＰＷ）の比（ｒａｔｉｏ）を意味する。空間再使用係数αは、平均的な周波数再使用係数として決定される値であり、例えば、０．５が固定的に使用されてもよい。空間再使用係数αは、前のトラフィックスロットで推定された空間再使用係数対現在のトラフィックスロットで実際に使用されたパイロットでの電力の比として計算されてもよい。
【００４４】
ＣＩＤ２に対するＰＦ値がもっとも高い値に対応せず、残りのＣＩＤの中で関連する少なくとも１つのＣＩＤの干渉により通信が不可能である場合に、受信端末は、ＣＩＤ２に対する通信を拒絶する否定応答（Ｎｏｎ−ＡｃＫｎｏｗｌｅｄｍｅｎｔ；以下、‘ＮＡＫ’と称する）メッセージを送信端末に送信する。
【００４５】
送信端末からのデータ送信要請に応じて、受信端末は、ＡＣＫ／ＮＡＫメッセージに関する情報、干渉電力（Ｉｎｔｅｒｆｅｒｅｎｃｅ  ＰｏＷｅｒ；以下、‘ＩＰＷ’と称する）ｘα、及び信号電力（Ｓｉｇｎａｌ  ＰｏＷｅｒ；以下、‘ＳＰＷ’と称する）をＣＩＤ２が割り当てられたサブブロックの位置にマッピングされたトーン５００を用いて送信端末に送信する。ここで、ＩＰＷは、ＣＩＤ２に対する干渉として機能する電力、すなわち、ＣＩＤ２を除いた残りのＣＩＤの中で関連する少なくとも１つのＣＩＤを用いて受信された信号に対する受信電力の和を示し、ＳＰＷは、ＣＩＤ２を用いて受信された信号に対する受信電力に基づいて計算される電力レベルを意味する。また、ＡＣＫ／ＮＡＫメッセージに関する情報は、現在のトラフィックスロットの送信のために使用される情報を示し、ＩＰＷ及びＳＰＷは、次のトラフィックスロットのＰＦ値を計算するために使用される値を意味する。
【００４６】
ＡＣＫ／ＮＡＫメッセージに関する情報、ＩＰＷｘα及びＳＰＷを受信端末から受信した送信端末は、ＡＣＫ／ＮＡＫメッセージに関する情報に基づいてデータを送信するか否かを判定する。すなわち、送信端末は、ＡＣＫメッセージを受信する時にデータを送信し、ＮＡＫメッセージを受信する時にＩＰＷ及びＳＰＷを用いて現在のチャネルに関するチャネル状態情報をアップデートする。
【００４７】
図６は、本発明の一実施形態による受信端末がＡＣＫ／ＮＡＫメッセージを送信する動作を示す図である。
【００４８】
図６を参照すると、送信側に含まれる端末Ａ、端末Ｂ、及び端末Ｃは、送信端末を意味し、受信側に含まれる端末Ｄ、端末Ｅ、及び端末Ｆは、受信端末を意味する。図６において、端末Ａと端末Ｄとの間の接続は、ＣＩＤ１を有し、端末Ｂと端末Ｅとの間の接続は、ＣＩＤ２を有し、端末Ｃと端末Ｆとの間の接続は、ＣＩＤ３を有し、端末Ｄが端末Ａから受信したＰＦ値は‘１００’であり、端末Ｅが端末Ｂから受信したＰＦ値は、‘１１０’であり、端末Ｆが端末Ｃから受信したＰＦ値は、‘５０’であると仮定する。
【００４９】
受信端末は、送信端末から受信したＰＦ値及び自身が計算したαに基づいて関連するＣＩＤの通信が可能であるか否かを判定することができる。受信端末は、この判定の結果をＡＣＫ／ＮＡＫメッセージを用いて送信端末に通知することができる。
【００５０】
端末Ｄは、ＣＩＤ１に対するＰＦ値‘１００’をＣＩＤ２及びＣＩＤ３の各々に対するＰＦ値‘１１０’及び‘５０’と比較し、ＰＦ値‘１００’がもっとも高い値でないとしても、ＣＩＤ２及びＣＩＤ３の干渉に対してＣＩＤ１の通信が可能である場合に、ＡＣＫメッセージを送信端末に送信する。端末Ｅは、ＣＩＤ２に対するＰＦ値‘１１０’をＣＩＤ１及びＣＩＤ３の各々に対するＰＦ値‘１００’及び‘５０’と比較し、ＰＦ値‘１１０’がもっとも高い値であるので、ＡＣＫメッセージを送信端末に送信する。端末Ｆは、ＣＩＤ３に対するＰＦ値‘５０’をＣＩＤ１及びＣＩＤ２の各々に対するＰＦ値‘１００’及び‘１１０’と比較し、ＰＦ値‘５０’がもっとも高い値でなく、ＣＩＤ１及びＣＩＤ２の干渉に対してＣＩＤ３の通信も不可能であると判定する場合に、ＮＡＫメッセージを送信端末に送信する。
【００５１】
図７は、本発明の一実施形態による送信端末がデータを送信する動作を示すフローチャートである。
【００５２】
図７を参照すると、ステップ７０１において、送信端末は、送信するデータが存在するか否かを判定する。この判定の結果、送信するデータが存在する場合に、送信端末は、ステップ７０３に進む。他方、送信するデータが存在しない場合に、ステップ７０１において、送信端末は、送信するデータが存在するか否かを継続して判定する。
【００５３】
ステップ７０３において、送信端末は、自身が現在のチャネルのチャネル状態情報を有するか否かを判定する。ここで、‘チャネル状態情報’は、個別の要請過程なしに周期的に提供されるアップリンク情報を意味する。この判定の結果、送信端末は、現在のチャネル状態情報を有する場合に、ステップ７０７において、受信端末に設定された接続に対するＰＦ値を計算する。その後に、送信端末は、ＰＦ値を受信端末に送信することによりデータ送信を要請する。この時に、ＰＦ値は、この設定された接続に対するＣＩＤが割り当てられたリソースブロックを用いて送信されることができる。
【００５４】
しかしながら、送信端末は、現在のチャネル状態情報を有していない場合に、ステップ７０５において、現在のチャネルのチャネル状態情報を受信端末から要請する。この時に、チャネル状態情報の要請は、この設定された接続に対するＣＩＤが割り当てられたリソースブロックを用いて送信されることができる。
【００５５】
ステップ７０９において、送信端末は、ＡＣＫ／ＮＡＫメッセージに関する情報、ＳＰＷ及びＩＰＷを受信端末から受信する。ステップ７１１において、送信端末は、この受信されたＡＣＫ／ＮＡＫメッセージに関する情報を分析することによりＡＣＫメッセージが受信されたか否かを判定する。この判定の結果、ＡＣＫメッセージが受信される場合に、ステップ７１３において、送信端末は、データを送信する。ステップ７１５において、ＡＣＫメッセージでないＮＡＫメッセージが受信される場合に、送信端末は、ステップ７１５に進む。
【００５６】
ステップ７１５において、送信端末は、ステップ７０９で受信したＳＰＷ対ＩＰＷの比（すなわち、α）により現在のチャネルのチャネル状態情報を推定し、この推定されたチャネル状態情報を用いてステップ７０３で考慮されるチャネル状態情報をアップデートする。ここで、この推定されたチャネル状態情報は、下記の数式（２）により計算されることができる。
【００５７】
推定されたチャネル状態＝（ＳＰＷ−ＩＰＷ）×（１−α）＋ＩＰＷ・・・数式（２）
【００５８】
図８は、本発明の一実施形態による受信端末がデータを受信する動作を示すフローチャートである。
【００５９】
図８を参照すると、ステップ８０１において、受信端末は、送信端末に設定された１つの接続に対するＰＦ値及び少なくとも１つの隣接した接続に対するＰＦ値を受信する。ステップ８０３において、受信端末は、接続に対するＰＦ値を受信されたすべてのＰＦ値と比較することにより、ＰＦ値がもっとも高い値に対応するか否かを判定する。この判定の結果、この接続に対するＰＦ値がもっとも高い値に対応する場合に、ステップ８０９において、受信端末は、この接続に対する通信を許容するＡＣＫメッセージを選択する。
【００６０】
しかしながら、この接続に対するＰＦ値がもっとも高い値に対応しない場合に、受信端末は、ステップ８０５において、隣接した接続の干渉にもかかわらず任意の接続の通信が可能であるか否かを判定する。この判定の結果、隣接した接続の干渉にもかかわらず、この任意の接続の通信が可能である場合に、受信端末は、ステップ８０９において、ＡＣＫメッセージを選択する。他方、ステップ８０７において、この任意の接続の通信が隣接した接続の干渉により不可能である場合に、受信端末は、この接続に対する通信を拒絶するＮＡＫメッセージを選択する。
【００６１】
ステップ８１１において、受信端末は、ＩＰＷ及びＳＰＷを計算する。ステップ８１３において、受信端末は、ステップ８０７及びステップ８０９で選択されたＡＣＫ／ＮＡＫメッセージに関する情報とともにこの計算されたＩＰＷ及びＳＰＷを送信端末に送信する。この時に、ＡＣＫ／ＮＡＫメッセージに関する情報、ＩＰＷ及びＳＰＷは、この任意の接続に対するＣＩＤが割り当てられたリソースブロックを用いて送信されることができる。
【００６２】
ステップ８１５において、受信端末は、実際の送信のために使用される接続に対するＩＰＷを計算する。ステップ８１７において、受信端末は、この計算されたＩＰＷに基づいてαの値をアップデートする。ステップ８１９において、受信端末は、この任意の接続を通して送信端末から送信されるデータを受信する。
【００６３】
図９は、本発明の一実施形態による送信端末の構造を示す図である。
【００６４】
図９を参照すると、送信端末は、送信部９００、受信部９１０、及び制御部９２０を含む。制御部９２０は、データ管理部９３０、チャネル状態情報管理部９３５、及びＰＦ値計算部９４０を含む。送信端末は、説明の便宜のために、ここに図示しない追加の構成要素を含んでもあり得る。
【００６５】
データ管理部９３０は、送信端末が送信するデータが存在するか否かを判定する。この判定の結果、送信するデータが存在する場合に、チャネル状態情報管理部９３５は、送信端末が現在のチャネル状態情報を有しているか否かを判定する。この時に、チャネル状態情報管理部９３５が、送信端末が現在のチャネル状態情報を有していることを判定する場合に、ＰＦ値計算部９４０は、受信端末に設定された接続に対するＰＦ値を計算し、送信部９００は、ＰＦ値計算部９４０により計算されたＰＦ値を送信することによりデータ送信を要請する。
【００６６】
しかしながら、チャネル状態情報管理部９３５が、送信端末が現在のチャネル状態情報を有していないことを判定する場合に、送信部９００は、受信端末から現在のチャネル状態情報を要請する。
【００６７】
受信部９１０は、ＡＣＫ／ＮＡＫメッセージに関する情報、ＳＰＷ及びＩＰＷを受信し、データ管理部９３０は、ＡＣＫ／ＮＡＫメッセージに関する情報をチェックすることによりＡＣＫメッセージが受信されたか否かを判定する。この時に、データ管理部９３０がＡＣＫメッセージが受信されたことを判定する場合に、送信部９００は、データを送信する。他方、データ管理部９３０が、ＮＡＫメッセージが受信されたことを判定する場合に、受信部９１０は、この受信されたＳＰＷ及びＩＰＷの比により、チャネル状態情報管理部９３５を通して現在のチャネルのチャネル状態情報をアップデートする。
【００６８】
図１０は、本発明の一実施形態による受信端末の構造を示す図である。
【００６９】
図１０を参照すると、受信端末は、送信部１０００、受信部１０１０、及び制御部１０２０を含む。制御部１０２０は、ＰＦ値比較部１０３０、通信可能性判定部（ｃｏｍｍｕｎｉｃａｂｉｌｉｔｙ  ｄｅｔｅｒｍｉｎｅｒ）１０３５、電力計算部１０４０、及びα値管理部１０４５を含む。受信端末は、説明の便宜のために、ここに図示しない追加の構成要素を含んでもあり得る。
【００７０】
受信部１０１０は、送信端末に設定された任意の接続に対するＰＦ値及び少なくとも１つの隣接した接続に対するＰＦ値を受信する。ＰＦ値比較部１０３０は、任意の接続に対するＰＦ値を受信されたすべてのＰＦ値と比較する。この時に、ＰＦ値比較部１０３０が任意の接続に対するＰＦ値がもっとも高い値に対応することを判定する場合に、通信可能性判定部１０３５は、任意の接続に対する通信を許容するＡＣＫメッセージを選択する。
【００７１】
しかしながら、ＰＦ値比較部１０３０が任意の接続に対するＰＦ値がもっとも高い値に対応しないことを判定する場合に、通信可能性判定部１０３５は、任意の接続に対する通信を拒絶するＮＡＫメッセージを選択する。
【００７２】
電力計算部１０４０は、ＩＰＷ及びＳＰＷを計算し、送信部１０００は、ＡＣＫ／ＮＡＫメッセージに関する情報とともにこの計算されたＩＰＷ及びＳＰＷを送信端末に送信する。また、電力計算部１０４０は、実際の送信のために使用される接続に対するＩＰＷを計算し、α値管理部１０４５は、この計算されたＩＰＷに基づいてαの値をアップデートする。受信部１０１０は、任意の接続を通してデータを受信する。
【００７３】
以上、本発明を具体的な実施形態を参照して詳細に説明してきたが、本発明の範囲及び趣旨を逸脱することなく様々な変更が可能であるということは、当業者には明らかであり、本発明の範囲は、上述の実施形態に限定されるべきではなく、特許請求の範囲の記載及びこれと均等なものの範囲内で定められるべきである。
【符号の説明】
【００７４】
１００、３００  フレーム
１０２  ディスカバリー領域
１０４、３０４  ページング領域
１０６  トラフィックスロット領域
１０８  第１の領域
１１０  第２の領域
１１２  第３の領域
１５０、３３０  リソースブロック
３０２  ディスカバリー領域
３０６  第１のトラフィックスロット領域
３０８  第２のトラフィックスロット領域
３１０  トラフィック送信要請リソース領域
３１２  応答リソース領域
３１４  トラフィック送信解除リソース領域
３１６  パイロットリソース領域
３１８  チャネルフィードバック領域
３２０  トラフィックリソース領域
３２２  トラフィック肯定応答リソース領域
【図１】
2014527368.tif 000003
【図２】
2014527368.tif 000004
【図３】
2014527368.tif 000005
【図４】
2014527368.tif 000006
【図５】
2014527368.tif 000007
【図６】
2014527368.tif 000008
【図７】
2014527368.tif 000009
【図８】
2014527368.tif 000010
【図９】
2014527368.tif 000011
【図１０】
2014527368.tif 000012
【国際調査報告】
2014527368.tif 000013
2014527368.tif 000014